(57)【要約】【課題】  ＲＪ−４５ケーブルの誤接続によるコンソ−ル監視装置のインタ−フェ−ス部の破壊誘発並びに接続先機器のインタフェ−ス部の破壊誘発を防止可能なコンソ−ル監視装置を提供する。【解決手段】  スイッチ付きＲＪ−４５コネクタ１４にＲＪ−４５ケーブル１７が接続されると、ＲＪ−４５ケーブル接続検出手段１６が働き、このことを制御部１０に通知する。通知を受けた制御部１０は、診断手段１２に対してインタフェ−スの診断の開始を指示する。診断指示を受けた診断手段１２は、デ−タ線３０３内の１ピンと２ピンとを使用して瞬時に診断を行う。診断手段１２からＬＡＮポ−トが接続されていることが報告されると、制御部１０はスイッチ付きＲＪ−４５コネクタ１４に対して誤接続表示手段１５に誤接続の表示を行うとともに、切替え手段１３に対してデ−タ線３０３への接続を維持させる。【選択図】      図１
2008186738.tif 000002
【特許請求の範囲】
【請求項１】
複数の監視対象装置のコンソ−ルポ−トをＲＪ−４５ケーブルを経由して監視し、前記監視対象装置の状態をＬＡＮ（Ｌｏｃａｌ  Ａｒｅａ  Ｎｅｔｗｏｒｋ）を使用して上位装置に報告する制御部を含むコンソ−ル監視装置であって、
前記複数のコンソ−ルポ−ト各々に接続されるケーブルが正しく接続されているか否かを診断する診断手段と、前記診断手段の結果を表示する誤接続表示手段と、前記ＲＪ−４５ケーブルが接続されたことを検知して前記制御部に報告するコネクタと、自装置内のインタフェ−スを前記診断手段及び前記制御部のいずれかへの接続に切替える切替え手段とを有し、
前記診断手段の診断結果を基に前記自装置内のインタフェ−ス各々への誤接続を防止することを特徴とするコンソ−ル監視装置。
【請求項２】
前記監視対象装置の状態が、障害情報であることを特徴とする請求項１記載のコンソ−ル監視装置。
【請求項３】
前記コンソ−ルポ−トは、ＲＳ−２３２Ｃインタフェ−スであることを特徴とする請求項１または請求項２記載のコンソ−ル監視装置。
【請求項４】
前記診断手段と、前記誤接続表示手段と、前記コネクタと、前記切替え手段とを前記ＲＳ−２３２Ｃインタフェ−ス各々とＬＡＮインタフェースとにそれぞれ設けたことを特徴とする請求項３記載のコンソ−ル監視装置。
【請求項５】
前記診断手段は、前記ＲＳ−２３２Ｃインタフェ−ス及び前記ＬＡＮインタフェ−スの信号の差分を基に前記複数のコンソ−ルポ−ト各々に接続されるケーブルが正しく接続されているか否かを診断することを特徴とする請求項３または請求項４記載のコンソ−ル監視装置。
【請求項６】
前記診断手段は、前記ＬＡＮインタフェ−スにおける極性の反転した信号の接続先の回路がトランスの２次側かつ直流抵抗的にほぼ０オ−ムにて接続されることを特徴とする請求項５記載のコンソ−ル監視装置。
【請求項７】
前記コネクタは、前記ＲＪ−４５ケーブルが接続されたことを検知するスイッチ付きのＲＪ−４５コネクタであることを特徴とする請求項１から請求項４のいずれか記載のコンソ−ル監視装置。
【発明の詳細な説明】
【技術分野】
【０００１】
本発明はコンソ−ル監視装置に関し、特に接続機器の破壊防止並びに信頼性を向上させるためのコンソ−ル監視装置の構成に関する。
【背景技術】
【０００２】
従来、この種のコンソ−ル監視装置においては、その接続性の容易さを追求した結果、被監視装置からのＲＳ（Ｒｅｃｏｍｍｅｎｄｅｄ  Ｓｔａｎｄａｒｄ）−２３２Ｃインタフェ−ス信号をＬＡＮ（Ｌｏｃａｌ  Ａｒｅａ  Ｎｅｔｗｏｒｋ）インタフェ−ス用コネクタであるＲＪ−４５コネクタを用いて受信することで省スペ−ス化が行われ、複数のポ−トがＬＡＮと同一面に設置される構造となっている。ＬＡＮの場合には、複数のポートを同一面に設置するものもある（例えば、特許文献１参照）。
【０００３】
従来のコンソ−ル監視装置の構成を図６に示す。図６において、コンソ−ル監視装置６は、制御部６０と、ＲＳ−２３２Ｃインタフェース回路６１０〜６１ｎと、ＬＡＮインタフェース回路７１とから構成されている。ＲＳ−２３２Ｃインタフェース回路６１０は、制御部６０にデータ線６０１で接続され、ＲＪ−４５ケーブル６３が挿入されるＲＪ−４５コネクタ６２を備えている。ＬＡＮインタフェース回路７１は、制御部６０にデータ線７０１で接続され、ＲＪ−４５ケーブル７３が挿入されるＲＪ−４５コネクタ７２を備えている。
【０００４】
【特許文献１】特開２００５−２０９３９２号公報
【発明の開示】
【発明が解決しようとする課題】
【０００５】
しかしながら、上述した従来のコンソ−ル監視装置では、ＲＳ−２３２Ｃインタフェ−ス用のＲＪ−４５コネクタとＬＡＮインタフェ−ス用のＲＪ−４５コネクタとを同一面に設置した結果、使用者であるオペレ−タにとって、ＬＡＮインタフェ−ス用のＲＪ−４５コネクタとＲＳ−２３２Ｃインタフェ−ス用のＲＪ−４５コネクタとの判別ができなくなり、誤接続による機器の破壊が発生する危険性がある。
【０００６】
このため、オペレ−タによってＲＪ−４５ケーブルが挿入された瞬間に、誤接続によって、双方のインタフェ−ス部を破壊してしまうという欠点がある。コンソ−ル監視装置の普及とともに、破壊防止並びに信頼性の高い装置が求められるようになってきている。
【０００７】
そこで、本発明の目的は上記の問題点を解消し、ＲＪ−４５ケーブルの誤接続によるコンソ−ル監視装置のインタ−フェ−ス部の破壊誘発並びに接続先機器のインタフェ−ス部の破壊誘発を防止することができるコンソ−ル監視装置を提供することにある。
【課題を解決するための手段】
【０００８】
本発明によるコンソ−ル監視装置は、複数の監視対象装置のコンソ−ルポ−トをＲＪ−４５ケーブルを経由して監視し、前記監視対象装置の状態をＬＡＮ（Ｌｏｃａｌ  Ａｒｅａ  Ｎｅｔｗｏｒｋ）を使用して上位装置に報告する制御部を含むコンソ−ル監視装置であって、
前記複数のコンソ−ルポ−ト各々に接続されるケーブルが正しく接続されているか否かを診断する診断手段と、前記診断手段の結果を表示する誤接続表示手段と、前記ＲＪ−４５ケーブルが接続されたことを検知して前記制御部に報告するコネクタと、自装置内のインタフェ−スを前記診断手段及び前記制御部のいずれかへの接続に切替える切替え手段とを備え、
前記診断手段の診断結果を基に前記自装置内のインタフェ−ス各々への誤接続を防止している。
【０００９】
すなわち、本発明のコンソ−ル監視装置は、複数の監視対象装置のコンソ−ルポ−ト［ＲＳ（Ｒｅｃｏｍｍｅｎｄｅｄ  Ｓｔａｎｄａｒｄ）−２３２Ｃインタフェ−ス］をＲＪ−４５ケーブルを経由して監視し、被監視対象装置の状態（特に障害情報）をＬＡＮ（Ｌｏｃａｌ  Ａｒｅａ  Ｎｅｔｗｏｒｋ）を使用して上位装置に報告する装置において、各ポ−トに接続されるケーブルが正しく接続されているか否かを自動的に診断する診断手段と、診断手段の結果を表示する誤接続表示手段と、ＲＪ−４５ケーブルが接続されたことを自動的に感知しかつ装置内の制御部に報告するスイッチ付きＲＪ−４５コネクタと、装置内の各インタフェ−スを診断手段または制御部との接続に切替える切替え手段とを有し、各インタフェ−スへの誤接続を防止する機能を設けたことを特徴としている。
【００１０】
より具体的に説明すると、本発明のコンソ−ル監視装置では、装置全体を制御する制御部と、複数の外部のＲＳ−２３２Ｃインタフェ−スと接続するために内部に設けた複数のＲＳ−２３２Ｃインタフェ−ス接続手段と、外部のＬＡＮインタフェ−スと接続するために内部に設けたＬＡＮインタフェ−ス接続手段とを有している。
【００１１】
複数のＲＳ−２３２Ｃインタフェ−ス接続手段各々は、外部のインタフェ−スと接続する第１のスイッチ付きＲＪ−４５コネクタと、第１のスイッチ付きＲＪ−４５コネクタにＲＳ−２３２Ｃインタフェ−スとして接続されたＲＪ−４５ケーブルがＬＡＮケーブルと間違えていないかを自動的に診断する第１の診断手段と、第１の診断手段の結果を表示してオペレ−タに通知する第１の誤接続表示手段と、第１のスイッチ付きＲＪ−４５コネクタを介して接続されたデ−タ線を第１の診断手段と制御部とへの接続に切替える第１の切替え手段とを有している。
【００１２】
ＬＡＮインタフェ−ス接続手段は、外部のＬＡＮインタフェ−スと接続する第２のスイッチ付きＲＪ−４５コネクタと、第２のスイッチ付きＲＪ−４５コネクタ手段にＬＡＮインタフェ−スとして接続されたＲＪ−４５ケーブルがＲＳ−２３２Ｃインタフェ−スケーブルと間違えていないかを自動的に診断する第２の診断手段と、第２の診断手段の結果を表示してオペレ−タに通知する第２の誤接続表示手段と、第２のスイッチ付きＲＪ−４５コネクタを介して接続されたデ−タ線を第２の診断手段と制御部とへの接続に切替える第２の切替え手段とを有している。
【００１３】
次に、このコンソ−ル監視装置のＲＳ−２３２Ｃインタフェ−ス接続手段の動作について説明する。
【００１４】
第１のスイッチ付きＲＪ−４５コネクタにＲＪ−４５ケーブルが未挿入の時、第１の切替え手段は制御部の指示によってり第１の診断手段に接続しており、制御部内のインタフェ−ス回路を保護している。
【００１５】
第１のスイッチ付きＲＪ−４５コネクタにＲＪ−４５ケーブルが接続されると、第１のＲＪ−４５ケーブル接続検出手段が働き、このことを制御線を介して制御部に通知する。この通知を受けた制御部は、第１の診断手段に対して制御線を介してインタフェ−スの診断の開始を指示する。
【００１６】
この診断指示を受けた第１の診断手段は、デ−タ線内の１ピンと２ピンとを使用して瞬時に診断を行う。ＲＳ−２３２Ｃインタフェ−スとＬＡＮインタフェ−スの信号の差分は全く異なるが、ＬＡＮインタフェ−スの１ピンと２ピンとは送信信号の極性が反転した信号として接続されている。また、この極性の反転した信号の接続先の回路はトランスの２次側かつ直流抵抗的にほぼ０オ−ムにて接続されている。本発明はこの点に着目してインタフェ−スの診断を安全に行うものである。
【００１７】
デ−タ線にはＲＪ−４５コネクタピンに対応した信号が供給されている。第１の診断手段の出力が論理値「１」の場合には、ＬＡＮポ−トが接続されていることになり、そのことが制御線を介して制御部に報告される。報告を受けた制御部は制御線を介して第１のスイッチ付きＲＪ−４５コネクタに対して第１の誤接続表示手段に誤接続の表示を行うとともに、第１の切替え手段に対してデ−タ線への接続を維持させる。
【００１８】
第１の診断手段によって診断した結果、論理値「０」の場合には、その結果を制御部に報告される。報告を受けた制御部は報告内容を解析し、ＲＳ−２３２Ｃインタフェ−スが接続されたと認識した後、第１のスイッチ付きＲＪ−４５コネクタに対して制御線を介して第１の誤接続表示手段に誤接続表示の解除を指示する。他方、第１の切替え手段に対して制御部は、制御線を介してデ−タ線への接続切替えを指示する。
【００１９】
このようにして、制御部と第１のスイッチ付きＲＪ−４５コネクタを介してＲＪ−４５ケーブルが接続される。以上の動作によって、制御部内のＲＳ−２３２Ｃインタフェ−ス回路並びに接続先の回路（ＬＡＮインタフェ−ス）の破壊を防止することが可能となる。
【００２０】
次に、ＬＡＮ接続手段の動作について説明する。第２のスイッチ付きＲＪ−４５コネクタにＲＪ−４５ケーブルが未挿入の時、第２のスイッチ付きＲＪ−４５コネクタは制御部の指示によって第２の切替え手段を介して第２の診断手段に接続されており、制御部内のインタフェ−ス回路を保護している。
【００２１】
ＬＡＮ接続手段内の第２のスイッチ付きＲＪ−４５コネクタにＲＪ−４５ケーブルが接続されると、第２のＲＪ−４５ケーブル接続検出手段が働き、このことを制御線を介して制御部に通知する。この通知を受けた制御部は、第２の診断手段に対して制御線を介してインタフェ−スの診断の開始を指示する。
【００２２】
この診断指示を受けた第２の診断手段は、デ−タ線内の１ピンと２ピンとを使用して瞬時に診断を行う。デ−タ線にはＲＪ−４５コネクタピンに対応した信号が供給されている。第２の診断手段の出力が論理値「１」の場合には、ＲＳ−２３２Ｃポ−トが接続されていることになり、そのことが制御線を介して制御部に報告される。この報告を受けた制御部は制御線を介して第２のスイッチ付きＲＪ−４５コネクタに対して第２の誤接続表示手段へ誤接続の表示指示を行うとともに、第２の切替え手段に対してデ−タ線への接続を維持させる。
【００２３】
第２の診断手段５２によって診断した結果、論理値「０」（ＬＡＮ）の場合には、その結果を制御部に報告する。報告を受けた制御部は、この報告内容を解析し、ＬＡＮインタフェ−スが接続されたと認識した後、第２のスイッチ付きＲＪ−４５コネクタに対して制御線を介して第２の誤接続表示手段に誤接続表示の解除を指示する。他方、第２の切替え手段に対して、制御部は制御線を介してデ−タ線への接続切替えを指示する。
【００２４】
このようにして、制御部に対して、第２のスイッチ付きＲＪ−４５コネクタを介してＲＪ−４５ケーブルが接続される。以上の動作によって、制御部内のＬＡＮインタフェ−ス回路並びに接続先の回路（ＲＳ−２３２Ｃインタフェ−ス）の破壊を防止することが可能となる。
【００２５】
すなわち、本発明のコンソ−ル監視装置は、ＲＪ−４５ケーブルが装着された際に、自動的にＲＪ−４５ケーブルの先に接続されたインタフェ−スの種類を診断し、誤接続の場合にその旨をオペレ−タに通知することによって、操作性並びに信頼性の高いシステムを提供することが可能となる。
【００２６】
本発明のコンソ−ル監視装置では、装置内の各ポ−トに誤接続による機器破壊防止機構（ＲＪ−４５ケーブルの装着を直ちに検出し、診断回路にて接続インタフェ−スの正当性を診断する機構）を有することによって、ＲＪ−４５ケーブルの誤接続によるコンソ−ル監視装置のインタ−フェ−ス部の破壊誘発並びに接続先機器のインタフェ−ス部の破壊誘発を防止することが可能となる。
【００２７】
また、本発明のコンソ−ル監視装置では、ＲＪ−４５ケーブルの誤接続をオペレ−タに通知する機能を有することによって、オペレ−タが誤接続に直ちに気付き、正しいポ−トへ接続し直すことが可能となるので、操作性が良く、信頼性の高いコンソ−ル監視装置を提供することが可能となる。
【発明の効果】
【００２８】
本発明は、上記のような構成及び動作とすることで、ＲＪ−４５ケーブルの誤接続によるコンソ−ル監視装置のインタ−フェ−ス部の破壊誘発並びに接続先機器のインタフェ−ス部の破壊誘発を防止することができるという効果が得られる。
【発明を実施するための最良の形態】
【００２９】
次に、本発明の実施の形態について図面を参照して説明する。図１は本発明の実施の形態によるコンソ−ル監視装置の構成例を示すブロック図である。図１において、本発明の実施の形態によるコンソ−ル監視装置１は、装置全体を制御する制御部１０と、複数の外部のＲＳ−２３２Ｃインタフェ−スと接続する複数のＲＳ−２３２Ｃ接続手段１１０〜１１ｎと、ＬＡＮインタフェ−スと接続するＬＡＮ接続手段２１とを有している。
【００３０】
ＲＳ−２３２Ｃ接続手段１１０は、外部のインタフェ−スと接続するスイッチ付きＲＪ−４５コネクタ１４と、スイッチ付きＲＪ−４５コネクタ１４にＲＳ−２３２Ｃインタフェ−スとして接続されたＲＪ−４５ケーブル１７がＬＡＮケーブルと間違えていないかを自動的に診断する診断手段１２と、診断手段１２の結果を表示してオペレ−タに通知する誤接続表示手段１５と、スイッチ付きＲＪ−４５コネクタ１４を介して接続されたデ−タ線３０２を診断手段１２と制御部１０とへの接続に切替える切替え手段１３とを有している。また、スイッチ付きＲＪ−４５コネクタ１４はＲＪ−４５ケーブル接続検出手段１６を備えている。尚、図示していないが、他のＲＳ−２３２Ｃ接続手段１１１〜１１ｎ各々は、上記のＲＳ−２３２Ｃ接続手段１１０と同様の構成となっている。
【００３１】
ＬＡＮ接続手段２１は、外部のＬＡＮインタフェ−スと接続するスイッチ付きＲＪ−４５コネクタ２４と、スイッチ付きＲＪ−４５コネクタ２４にＬＡＮインタフェ−スとして接続されたＲＪ−４５ケーブル２７がＲＳ−２３２Ｃインタフェ−スケーブルと間違えていないかを自動的に診断する診断手段２２と、診断手段２２の結果を表示してオペレ−タに通知する誤接続表示手段２５と、スイッチ付きＲＪ−４５コネクタ２４を介して接続されたデ−タ線５０２を診断手段２２と制御部１０とへの接続に切替える切替え手段２３とを有している。また、スイッチ付きＲＪ−４５コネクタ２４はＲＪ−４５ケーブル接続検出手段２６を備えている。
【００３２】
次に、図１を参照してコンソ−ル監視装置１のＲＳ−２３２Ｃ接続手段１１０の動作について説明する。スイッチ付きＲＪ−４５コネクタ１４にＲＪ−４５ケーブル１７が未挿入の時、切替え手段１３は制御部１０の指示によって診断手段１２に接続しており、制御部１０内のインタフェ−ス回路を保護している。
【００３３】
スイッチ付きＲＪ−４５コネクタ１４にＲＪ−４５ケーブル１７が接続されると、ＲＪ−４５ケーブル接続検出手段１６が働き、このことを制御線２０３を介して制御部１０に通知する。この通知を受けた制御部１０は、診断手段１２に対して制御線２０１を介してインタフェ−スの診断の開始を指示する。
【００３４】
この診断指示を受けた診断手段１２は、デ−タ線３０３内の１ピンと２ピンとを使用して図４に示す回路にて瞬時に診断を行う。ＲＳ−２３２Ｃインタフェ−ス及びＬＡＮインタフェ−スの信号の差分は、図３に示すように、全く異なるが、ＬＡＮインタフェ−スの１ピンと２ピンとは送信信号の極性が反転した信号として接続されている。また、この極性の反転した信号の接続先の回路はトランスの２次側かつ直流抵抗的にほぼ０オ−ムにて接続されている。本発明の実施の形態では、この点に着目してインタフェ−スの診断を安全に行うものである。
【００３５】
デ−タ線３０３には図３に示すＲＪ−４５コネクタピンに対応した信号が供給されている。診断手段１２の出力が論理値「１」の場合には、ＬＡＮポ−トが接続されていることになり、そのことが制御線２０１を介して制御部１０に報告される。
【００３６】
報告を受けた制御部１０は制御線２０４を介してスイッチ付きＲＪ−４５コネクタ１４に対して誤接続表示手段１５に誤接続の表示を行うとともに、切替え手段１３に対してデ−タ線３０３への接続を維持させる。
【００３７】
診断手段１２によって診断した結果、論理値「０」の場合には、その結果が制御部１０に報告される。報告を受けた制御部１０は、報告内容を解析し、ＲＳ−２３２Ｃインタフェ−スが接続されたと認識した後、スイッチ付きＲＪ−４５コネクタ１４に対して制御線２０４を介して誤接続表示手段１５に誤接続表示の解除を指示する。他方、制御部１０は、切替え手段１３に対して制御線２０２を介してデ−タ線３０１への接続切替えを指示する。
【００３８】
このようにして、本発明の実施の形態では、制御部１０とスイッチ付きＲＪ−４５コネクタ１４とを介してＲＪ−４５ケーブル１６が接続される。以上の動作によって、制御部１０内のＲＳ−２３２Ｃインタフェ−ス回路並びに接続先の回路（ＬＡＮインタフェ−ス）の破壊を防止することができる。
【００３９】
次に、ＬＡＮ接続手段２１の動作について説明する。スイッチ付きＲＪ−４５コネクタ２４にＲＪ−４５ケーブル２７が未挿入の時、スイッチ付きＲＪ−４５コネクタ２４は制御部１０の指示によって切替え手段２３を介して診断手段２２に接続されており、制御部１０内のインタフェ−ス回路を保護している。
【００４０】
ＬＡＮ接続手段２１内のスイッチ付きＲＪ−４５コネクタ２４にＲＪ−４５ケーブル２７が接続されると、ＲＪ−４５ケーブル接続検出手段２６が働き、このことを制御線４０３を介して制御部１０に通知する。この通知を受けた制御部１０は、診断手段２２に対して制御線４０１を介してインタフェ−スの診断の開始を指示する。
【００４１】
この診断指示を受けた診断手段２２は、デ−タ線５０３内の１ピンと２ピンとを使用して図５に示す回路にて瞬時に診断を行う。デ−タ線５０３には図３に示すＲＪ−４５コネクタピンに対応した信号が供給されている。診断手段２２の出力が論理値「１」の場合には、ＲＳ−２３２Ｃポ−トが接続されていることになり、その旨が制御線４０１を介して制御部１０に報告される。
【００４２】
この報告を受けた制御部１０は制御線４０４を介してスイッチ付きＲＪ−４５コネクタ２４に対して誤接続表示手段２５へ誤接続の表示指示を行うとともに、切替え手段２３に対してデ−タ線５０３への接続を維持させる。
【００４３】
診断手段２２によって診断した結果、論理値「０」（ＬＡＮ）の場合には、その結果を制御部１０に報告する。報告を受けた制御部１０は、この報告内容を解析し、ＬＡＮインタフェ−スが接続されたと認識した後、スイッチ付きＲＪ−４５コネクタ２４に対して制御線４０４を介して誤接続表示手段２５に誤接続表示の解除を指示する。他方、制御部１０は、切替え手段５３に対して制御線４０２を介してデ−タ線５０１への接続切替えを指示する。
【００４４】
このようにして、本発明の実施の形態では、制御部１０とスイッチ付きＲＪ−４５コネクタ２４とを介してＲＪ−４５ケーブル２７が接続される。以上の動作によって、本発明の実施の形態では、制御部１０内のＬＡＮインタフェ−ス回路並びに接続先の回路（ＲＳ−２３２Ｃインタフェ−ス）の破壊を防止することができる。
【実施例１】
【００４５】
図２は本発明の一実施例によるコンソ−ル監視装置の構成を示すブロック図であり、図３（ａ），（ｂ）は本発明の一実施例によるコンソ−ル監視装置の各ＲＪ−４５コネクタの接続を示す図であり、図４は本発明の一実施例によるＲＳ−２３２Ｃインタフェ−ス診断回路の構成例を示す図であり、図５は本発明の一実施例によるＬＡＮインタフェ−ス診断回路の構成例を示す図である。これら図２〜図５を参照して本発明の一実施例によるコンソ−ル監視装置１ａについて説明する。
【００４６】
図２において、コンソ−ル監視装置１ａは、装置全体を制御する制御部１０と、複数の外部のＲＳ−２３２Ｃインタフェ−スと接続する複数のＲＳ−２３２Ｃインタフェース回路１１０ａ〜１１ｎａと、ＬＡＮインタフェ−スと接続するＬＡＮインタフェース回路２１ａとを有している。
【００４７】
ＲＳ−２３２Ｃインタフェース回路１１０ａは、外部のインタフェ−スと接続するスイッチ付きＲＪ−４５コネクタ１４と、スイッチ付きＲＪ−４５コネクタ１４にＲＳ−２３２Ｃインタフェ−スとして接続されたＲＪ−４５ケーブル１７がＬＡＮケーブルと間違えていないかを自動的に診断する診断回路１２ａと、診断回路１２ａの結果を表示してオペレ−タに通知する誤接続表示部１５ａと、スイッチ付きＲＪ−４５コネクタ１４を介して接続されたデ−タ線３０２を診断回路１２ａと制御部１０とへの接続に切替える切替えＳＷ（スイッチ）１３ａとを有している。また、スイッチ付きＲＪ−４５コネクタ１４はＳＷ１６ａを備えている。尚、図示していないが、他のＲＳ−２３２Ｃインタフェース回路１１１ａ〜１１ｎａ各々は、上記のＲＳ−２３２Ｃインタフェース回路１１０ａと同様の構成となっている。
【００４８】
ＬＡＮインタフェース回路２１ａは、外部のＬＡＮインタフェ−スと接続するスイッチ付きＲＪ−４５コネクタ２４と、スイッチ付きＲＪ−４５コネクタ２４にＬＡＮインタフェ−スとして接続されたＲＪ−４５ケーブル２７がＲＳ−２３２Ｃインタフェ−スケーブルと間違えていないかを自動的に診断する診断回路２２ａと、診断回路２２ａの結果を表示してオペレ−タに通知する誤接続表示部２５ａと、スイッチ付きＲＪ−４５コネクタ２４を介して接続されたデ−タ線５０２を診断回路２２ａと制御部１０とへの接続に切替える切替えＳＷ２３ａとを有している。また、スイッチ付きＲＪ−４５コネクタ２４はＳＷ２６ａを備えている。
【００４９】
制御部１０は、スイッチ付きＲＪ−４５コネクタ１４にＲＪ−４５ケーブル１６が装着されたことをＳＷ１６ａを介して制御線２０３が論理値「０」（グランド）になったことによって認知し、制御線２０１を介して診断回路１２ａに対して、今装着されたＲＪ−４５ケーブル１７がＲＳ−２３２Ｃインタフェ−ス用ケーブルか否かの診断を指示する。制御部１０は、その診断結果を制御線２０１を介して入手する。
【００５０】
この結果が「１」の場合、制御部１０は、ＬＡＮ用ケーブルが接続されたと認識し、誤接続と判断する。これによって、制御線２０４を介してスイッチ付きＲＪ−４５コネクタ１４内の誤接続表示部１５ａに対して誤接続の表示を指示する。他方、制御線２０１の結果が「０」の場合、制御部１０は、ＲＳ−２３２Ｃ用ケーブルが接続されたと判断し、制御線２０４を介しスイッチ付きＲＪ−４５コネクタ１４内の誤接続誤接続表示部１５ａに対して誤接続の表示の解除を指示する。
【００５１】
さらに、制御部１０は、切替えＳＷ１３ａに対して制御線２０２を介してデ−タ線３０２とデ−タ線３０１との接続を指示する。以後、スイッチ付きＲＪ−４５コネクタ１４に接続されたＲＪ−４５ケーブル１７と制御部１０とが接続され、通信可能となる。
【００５２】
また、制御部１０はＬＡＮインタフェ−ス回路２１ａに対して以下の動作を行う。制御部１０は、スイッチ付きＲＪ−４５コネクタ２４にＲＪ−４５ケーブル２７が装着されたことをＳＷ２６ａを介して制御線４０３が論理値「０」（グランド）になったことによって認知し、制御線４０１を介して診断回路２２ａに対して、今装着されたＲＪ−４５ケーブル２７がＬＡＮインタフェ−ス用ケーブルか否かの診断を指示する。制御部１０は、その診断結果を制御線４０１を介して入手する。
【００５３】
この診断結果が「１」の場合、制御部１０は、ＲＳ−２３２Ｃ用ケーブルが接続されたと認識し、誤接続と判断する。これによって、制御部１０は、制御線４０４を介してスイッチ付きＲＪ−４５コネクタ２４内の誤接続表示部２５ａに対して誤接続の表示を指示する。他方、制御線４０１の結果が「０」の場合、制御部１０は、ＬＡＮ用ケーブルが接続されたと判断し、制御線４０４を介しスイッチ付きＲＪ−４５コネクタ２４内の誤接続誤接続表示部２５ａに対して誤接続の表示の解除を指示する。
【００５４】
さらに、制御部１０は、切替えＳＷ２３ａに対して制御線４０２を介してデ−タ線５０２とデ−タ線５０１との接続を指示する。以後、スイッチ付きＲＪ−４５コネクタ２４に接続されたＲＪ−４５ケーブル２７と制御部１０とが接続され、通信可能となる。
【００５５】
診断回路１２ａは、ＲＪ−４５ケーブル１７にＲＳ−２３２Ｃインタフェ−スが接続されたか否かを診断する回路である。図４に示す様に、デ−タ線３０３内の１ピンと２ピンとが論理積回路に入力され、その出力が制御線２０１に接続される構成となっている。また、１ピンには＋５Ｖの電源が供給されている。この電圧値は、論理積回路が入力として論理値「１」と認識可能な電圧で良い。
【００５６】
デ−タ線３０３は、ＲＪ−４５ケーブル１７の８本の信号と同じピン構成で接続されている。ＲＪ−４５コネクタを使用したＲＪ−４５ケーブル１７は、通常、図３（ｂ）に示すような構成にて通信に使用されている。
【００５７】
いま、１０／１００ＢＡＳＥ−ＴＸ用ＬＡＮケーブルの場合（１０００ＢＡＳＥ−Ｔも含む）、１ピンにはＴＤ＋の信号が接続され、２ピンにはＴＤ−の信号が接続されている。そして、この２本のピン間の直流抵抗は、ＲＪ−４５ケーブル１７の長さによって変わるが、ほぼ０オ−ムの仕様となっている。他方、ＲＳ−２３２Ｃ用ＲＪ−４５ケーブルの場合には、１ピンにＣＴＳ信号が接続され、２ピンにＤＳＲ信号が接続されている。この場合、ＣＴＳ信号とＤＳＲ信号とは直流的に絶縁された構成となっている。
【００５８】
診断回路１２ａは、この差分に注目し、接続されたＲＪ−４５ケーブル１７がＲＳ−２３２Ｃ用ケーブルか否かを診断する回路である。具体的には、ＲＪ−４５ケーブル１７にＬＡＮ用ケーブルが接続された場合、論理積回路の両入力ピンに＋５Ｖ（論理値１）が供給されるため、その出力は論理値「１」となる。他方、ＲＳ−２３２Ｃの場合には、１ピンが＋５Ｖ（論理値１）であるが、２ピンは０Ｖ（論理値０）となり、その出力は論理値「０」となる。
【００５９】
切替えＳＷ１３ａは、制御部１０の制御を制御線２０２を介して受け、デ−タ線３０２をデ−タ線３０３またはデ−タ線３０１に接続する。具体的には、コンソ−ル監視装置１ａの電源が投入された時、制御部１０は、制御線２０２を介してデ−タ線３０２とデ−タ線３０３との接続を指示する。スイッチ付きＲＪ−４５コネクタ１４に接続されたＲＪ−４５ケーブル１７がＲＳ−２３２Ｃ用の場合に、制御部１０から制御線２０２を介してデ−タ線３０２とデータ線３０１との接続の指示を受け、その接続を行う。
【００６０】
スイッチ付きＲＪ−４５コネクタ１４は、ＲＪ−４５ケーブル１７を接続するコネクタであり、ＳＷ１６ａを備えている。ＲＪ−４５ケーブル１７が挿入されると、ＳＷ１６ａは自動的に閉じられ、制御線２０３を介して制御部１０にＲＪ−４５ケーブル１７が接続されたことを報告する。また、ＲＪ−４５ケーブル１７の信号情報はデ−タ線３０２を介して切替えＳＷ１３ａに接続されている。
【００６１】
誤接続表示部１５ａは、診断回路１２ａの診断結果の表示が制御線２０４を介して指示されると、その表示を行うＬＥＤ（Ｌｉｇｈｔ  Ｅｍｉｔｔｉｎｇ  Ｄｉｏｄｅ）等の表示部である。この誤接続表示部１５ａの表示方法は、誤接続のみを表示する方法と、表示色を変更して表示する方法とがある。
【００６２】
ＲＪ−４５ケーブル１７は、スイッチ付きＲＪ−４５コネクタ１４に接続されるケーブルである。このＲＪ−４５ケーブル１７には、ＲＳ−２３２Ｃ用とＬＡＮ用とが接続される可能性がある。
【００６３】
診断回路２２ａは、ＲＪ−４５ケーブル２７にＬＡＮインタフェ−スが接続されたか否かを診断する回路である。図５に示すように、診断回路２２ａは、デ−タ線５０３内の１ピンと２ピンとが否定論理積回路に入力され、その出力が制御線４０１に接続される構成となっている。また、１ピンには＋５Ｖの電源が供給されている。この電圧値は、否定論理積回路が入力として論理値「１」と認識可能な電圧で良い。
【００６４】
デ−タ線５０３は、ＲＪ−４５ケーブル２７の８本の信号と同じピン構成で接続されている。ＲＪ−４５コネクタを使用したＲＪ−４５ケーブル２７は、通常、図３（ａ）に示すような構成にて通信に使用されている。
【００６５】
いま、１０／１００ＢＡＳＥ−ＴＸ用ＬＡＮケーブルの場合、１ピンにはＴＤ＋の信号が接続され、２ピンにはＴＤ−の信号が接続されている。そして、この２本のピン間直流抵抗は、ＲＪ−４５ケーブル２７の長さによって変わるが、ほぼ０オ−ムの仕様となっている。他方、ＲＳ−２３２Ｃ用ＲＪ−４５ケーブル２７の場合には、１ピンにＣＴＳ信号が接続され、２ピンにＤＳＲ信号が接続されている。この場合、ＣＴＳ信号とＤＳＲ信号とは直流的に絶縁された構成となっている。
【００６６】
診断回路２２ａは、この差分に注目し、接続されたＲＪ−４５ケーブル２７がＬＡＮ用ケーブルか否かを診断する回路である。具体的には、ＬＡＮ用ケーブルが接続された場合、否定論理積回路の両入力ピンに＋５Ｖ（論理値１）が供給されるため、その出力は論理値「０」となる。他方、ＲＳ−２３２Ｃの場合、１ピンが＋５Ｖ（論理値１）であるが、２ピンが０Ｖ（論理値０）となり、否定論理積回路の出力は論理値「１」となる。
【００６７】
切替えＳＷ２３ａは、制御部１０の制御を制御線４０２を介して受け、デ−タ線５０２をデ−タ線５０３またはデ−タ線５０１に接続する。具体的には、コンソ−ル監視装置１ａの電源が投入された時、制御部１０は、制御線４０２を介して切替えＳＷ２３ａにデ−タ線５０２とデ−タ線５０３との接続を指示する。
【００６８】
スイッチ付きＲＪ−４５コネクタ２４に接続されたＲＪ−４５ケーブル２７がＬＡＮ用の場合には、制御部１０から制御線４０２を介してデ−タ線５０２とデ−タ線５０１との接続の指示を受け、その接続を行う。
【００６９】
スイッチ付きＲＪ−４５コネクタ２４は、ＲＪ−４５ケーブル２７を接続するコネクタであり、ＳＷ２６ａを備えている。ＲＪ−４５ケーブル２６が挿入されると、ＳＷ２６ａは自動的に閉じられ、制御線４０３を介して制御部１０にＲＪ−４５ケーブル２７が接続されたことを報告する。また、ＲＪ−４５ケーブル２７の信号情報はデ−タ線５０２を介して切替えＳＷ２３に接続されている。
【００７０】
誤接続表示部２５ａは、診断回路２２ａの診断結果の表示が制御線４０４を介して指示されると、その表示を行うＬＥＤ等の表示部である。誤接続表示部２５ａの表示方法は、誤接続のみを表示する方法と、表示色を変更して表示する方法とがある。
【００７１】
ＲＪ−４５ケーブル２７は、スイッチ付きＲＪ−４５コネクタ２４に接続されるケーブルである。このＲＪ−４５ケーブル２７には、ＲＳ−２３２Ｃ用とＬＡＮ用とが接続される可能性がある。
【００７２】
以下、図２〜図５を参照して本発明の一実施例によるコンソール監視装置１ａの動作について説明する。まず、ＲＳ−２３２Ｃインタフェ−ス回路１１０ａについて図２と図３と図４とを用いて説明する。
【００７３】
スイッチ付きＲＪ−４５コネクタ１４にＲＪ−４５ケーブル１７が未挿入の時、切替えＳＷ１３ａは制御線２０２を介して制御部１０の指示によって診断回路１２ａに接続しており、制御部１０内のインタフェ−ス回路を保護している。スイッチ付きＲＪ−４５コネクタ１４にＲＪ−４５ケーブル１７が接続されると、ＳＷ１６ａが自動的に働き、このことを制御線２０２を介して制御部１０に通知する。この通知を受けた制御部１０は、診断回路１２ａに対して制御線２０１を介してインタフェ−スの診断の開始を指示する。
【００７４】
この診断指示を受けた診断回路１２ａは、デ−タ線３０３内の１ピンと２ピンとを使用して、図４に示す回路にて瞬時に診断を行う。ＲＳ−２３２Ｃインタフェ−スとＬＡＮインタフェ−スとの信号の差分は、図３に示すように、全く異なるが、ＬＡＮインタフェ−スの１ピンと２ピンとは送信信号の極性が反転した信号として接続されている。また、この極性の反転した信号の接続先の回路はトランスの２次側かつ直流抵抗的にほぼ０オ−ムにて接続されている。本実施例ではこの点に着目してインタフェ−スの診断を安全に行うものである。
【００７５】
デ−タ線３０３には、図３（ｂ）に示すＲＪ−４５コネクタピンに対応した信号が供給されている。診断回路１２ａの出力が論理値「１」の場合には、ＬＡＮポ−トが接続されていることになり、その旨が制御線２０１を介して制御部１０に報告される。
【００７６】
報告を受けた制御部１０は制御線２０４を介してスイッチ付きＲＪ−４５コネクタ１４に対して誤接続表示部１５ａに誤接続の表示を行うとともに、切替えＳＷ１３ａに対してデ−タ線３０３への接続を維持させる。
【００７７】
診断回路１２ａによって診断した結果が論理値「０」の場合には、その結果が制御部１０に報告される。報告を受けた制御部１０は、報告内容を解析し、ＲＳ−２３２Ｃインタフェ−スが接続されたと認識した後、スイッチ付きＲＪ−４５コネクタ１４に対して制御線２０４を介して誤接続表示部１５ａに誤接続表示の解除を指示する。他方、制御部１０は切替えＳＷ１３ａに対して、制御線２０２を介してデ−タ線３０１への接続切替えを指示する。
【００７８】
このようにして、本実施例では、制御部１０に、スイッチ付きＲＪ−４５コネクタ１４を介してＲＪ−４５ケーブル１７が接続される。以上の動作によって、本実施例では、制御部１０内のＲＳ−２３２Ｃインタフェ−ス回路並びに接続先の回路（ＬＡＮインタフェ−ス）の破壊を防止することができる。
【００７９】
次に、ＬＡＮインタフェ−ス回路２１ａの動作について説明する。スイッチ付きＲＪ−４５コネクタ２４にＲＪ−４５ケーブル２７が未挿入の時、制御部１０の指示によって、スイッチ付きＲＪ−４５コネクタ２４は切替えＳＷ２３ａを介して診断回路２２ａに接続されており、制御部１０内のインタフェ−ス回路を保護している。
【００８０】
ＬＡＮインタフェ−ス回路２１ａ内のスイッチ付きＲＪ−４５コネクタ２４にＲＪ−４５ケーブル２７が接続されると、ＳＷ２６ａが働き、このことを制御線４０３を介して制御部１０に通知する。この通知を受けた制御部１０は、診断回路２２ａに対して制御線４０１を介してインタフェ−スの診断の開始を指示する。
【００８１】
この診断指示を受けた診断回路２２ａは、デ−タ線５０３内の１ピンと２ピンとを使用して、図５に示す回路にて瞬時に診断を行う。デ−タ線５０３には、図３（ａ）に示すＲＪ−４５コネクタピンに対応した信号が供給されている。診断回路２２ａの出力が論理値「１」の場合には、ＲＳ−２３２Ｃポ−トが接続されていることになり、その旨が制御線４０１を介して制御部１０に報告される。
【００８２】
この報告を受けた制御部１０は、制御線４０４を介してスイッチ付きＲＪ−４５コネクタ２４に対して誤接続表示部２５ａへ誤接続の表示指示を行うとともに、切替えＳＷ２３ａに対してデ−タ線５０３への接続を維持させる。
【００８３】
診断回路２２ａによって診断した結果、論理値「０」（ＬＡＮ）の場合には、その結果が制御部１０に報告される。報告を受けた制御部１０は、この報告内容を解析し、ＬＡＮインタフェ−スが接続されたと認識した後、スイッチ付きＲＪ−４５コネクタ２４に対して制御線４０４を介して誤接続表示部２５ａに誤接続表示の解除を指示する。他方、制御部１０は切替えＳＷ２３ａに対して、制御線４０２を介してデ−タ線５０１への接続切替えを指示する。
【００８４】
このようにして、本実施例では、制御部１０に、スイッチ付きＲＪ−４５コネクタ２４を介してＲＪ−４５ケーブル２７が接続される。以上の動作によって、制御部１０内のＬＡＮインタフェ−ス回路並びに接続先の回路（ＲＳ−２３２Ｃインタフェ−ス）の破壊を防止することができる。
【００８５】
上記のように、本実施例では、コンソ−ル監視装置１ａ内の各ポ−トに誤接続による機器破壊防止機構（ＲＪ−４５ケーブルの装着を直ちに検出し、診断回路１２ａにて接続インタフェ−スの正当性を診断する機構）を有することによって、ＲＪ−４５ケーブルの誤接続によるコンソ−ル監視装置１ａのインタ−フェ−ス部の破壊誘発並びに接続先機器のインタフェ−ス部の破壊誘発を防止することができる。
【００８６】
また、本実施例では、ＲＪ−４５ケーブルの誤接続をオペレ−タに通知する機能を有することによって、オペレ−タが誤接続に直ちに気付き、正しいポ−トへ接続し直すことができるので、操作性が良く、信頼性の高いコンソ−ル監視装置１ａを提供することができる。
【図面の簡単な説明】
【００８７】
【図１】本発明の実施の形態によるコンソ−ル監視装置の構成例を示すブロック図である。
【図２】本発明の一実施例によるコンソ−ル監視装置の構成を示すブロック図である。
【図３】（ａ），（ｂ）は本発明の一実施例によるコンソ−ル監視装置の各ＲＪ−４５コネクタの接続を示す図である。
【図４】本発明の一実施例によるＲＳ−２３２Ｃインタフェ−ス診断回路の構成例を示す図である。
【図５】本発明の一実施例によるＬＡＮインタフェ−ス診断回路の構成例を示す図である。
【図６】従来のコンソ−ル監視装置の構成を示すブロック図である。
【符号の説明】
【００８８】
１，１ａ  コンソ−ル監視装置
１０  制御部
１２，２２  診断手段
１２ａ，２２ａ  診断回路
１３，２３  切替え手段
１３ａ，２３ａ  切替えスイッチ
１４，２４  スイッチ付きＲＪ−４５コネクタ
１５，２５  誤接続表示手段
１５ａ，２５ａ  誤接続表示部
１６，２６  ＲＪ−４５ケーブル接続検出手段
１６ａ，２６ａ  スイッチ
１７，２７  ＲＪ−４５ケーブル
２１  ＬＡＮ接続手段
２１ａ  ＬＡＮインタフェース回路
１１０〜１１ｎ  ＲＳ−２３２Ｃ接続手段
１１０ａ〜１１ｎａ  ＲＳ−２３２Ｃインタフェース回路
２０１〜２０４，
４０１〜４０４  制御線
３０１〜３０３，
５０１〜５０３  デ−タ線
【図１】
2008186738.tif 000003
【図２】
2008186738.tif 000004
【図３】
2008186738.tif 000005
【図４】
2008186738.tif 000006
【図５】
2008186738.tif 000007
【図６】
2008186738.tif 000008